(57)【要約】【課題】固定部に対する灯体の回動角度を大きく、かつ、容易に変更できる照明器具を提供する。【解決手段】灯体２０の外側に設けられている第２連結部材３４に連結された操作部３７を操作して、灯体２０の向きを変えるので、従来のように灯体２０に触れる必要がなく、熱くないため、点灯中でも灯体の向きを容易に変えることができる。また、第１連結部材３３及び第２連結部３４材等で構成されるリンク機構３０により、操作部３７の小さな操作角度で灯体２０を大きく回動させることができる。【選択図】図３
2009238451.tif 000002
【特許請求の範囲】
【請求項１】
光源を収容する灯体と、
前記灯体から突出し、前記光源の光軸に対して直交する第１支軸と、
前記灯体から突出し、前記第１支軸に対して平行な第２支軸と、
前記第１支軸に連結されて回動可能な第１連結部材と、
前記第２支軸に連結されて回動可能な第２連結部材と、
前記第１連結部材および前記第２連結部材を連結するとともに外部の固定部に固定される第３支軸と、
前記第１連結部材に設けられて前記第１支軸に対して前記第１連結部材を相対的に移動させるための長孔と、
前記第２連結部材に連結されて前記第３支軸よりも前記第２支軸とは反対側に設けられた操作部とを備えることを特徴とする照明器具。
【請求項２】
前記第１支軸と前記第３支軸との間の最大第１離間寸法よりも、前記第２支軸と前記第３支軸との間の第２離間寸法が長いことを特徴とする請求項１に記載の照明器具。
【請求項３】
前記第３支軸と前記操作部の先端との間の操作部寸法が、前記第１支軸と前記第３支軸との間の最小第２離間寸法よりも短いことを特徴とする請求項１に記載の照明器具。
【発明の詳細な説明】
【技術分野】
【０００１】
本発明は、照明方向を変えることができる照明器具に関するものである。
【背景技術】
【０００２】
従来より、天井や壁等の取付部に埋め込まれて用いられ、照明方向を変えることができる照明装置が知られている。このような照明装置では、灯体が枠体に揺動可能に支持されており、照明方向を変える際には、使用者が手で灯体を回動させるのが一般的である。
しかしながら、灯体を回動させる際に、直接手で灯体を触るのは熱いので手袋等を着用する必要があり、面倒である。
【０００３】
これに対して、モータにより灯体を揺動させて照明方向を変える照明器具が提案されている（例えば特許文献１参照）。
図５に示すように、特許文献１に記載の照明器具１００においては、カップ状の枠体１０１の内側中間部に円板状の取付板１０２を有しており、取付板１０２の上にモータ１０３が取付けられている。モータ１０３の回転軸１０３ａは取付板１０２を貫通して下方に突出しており、回転ステー１０７が取付けられている。
【０００４】
一方、取付板１０２の下方には、枠体１０１の下部に取付けられているステー１０５及び揺動リング１０６を介して、灯体１０４が揺動可能に取付けられている。また、ライト１０４の上端面には、モータ１０３に取付けられている回転ステー１０７の先端が、回動可能に取付けられている。
これにより、モータ１０３が回転して回転ステー１０７を回動させることにより、ライト１０４が揺動するので、照射方向を変えることができるようになっている。
【特許文献１】実開平７−４１８５８号公報（図２、段落０００５〜０００８）
【発明の開示】
【発明が解決しようとする課題】
【０００５】
しかしながら、前述した特許文献１に記載の照明器具１００においては、照明方向を変更するにあたって、使用者が手で直接灯体１０４を触って操作する必要はないが、ライト１０４を直下に向けることができないという不都合がある。
また、枠体１０１に対して灯体１０４を連結する支軸を中心として灯体１０１を回動させるという構造上の制約のため、照明光の照射範囲が限定されるという不都合もある。
【０００６】
本発明は、従来の問題を解決するためになされたもので、固定部に対する灯体の回動角度を大きく、かつ、点灯時でも容易に変更できる照明器具を提供することを目的とする。
【課題を解決するための手段】
【０００７】
本発明の照明器具は、光源を収容する灯体と、前記灯体から突出し、前記光源の光軸に対して直交する第１支軸と、前記灯体から突出し、前記第１支軸に対して平行な第２支軸と、前記第１支軸に連結されて回動可能な第１連結部材と、前記第２支軸に連結されて回動可能な第２連結部材と、前記第１連結部材および前記第２連結部材を連結するとともに外部の固定部に固定される第３支軸と、前記第１連結部材に設けられて前記第１支軸に対して前記第１連結部材を相対的に移動させるための長孔と、前記第２連結部材に連結されて前記第３支軸よりも前記第２支軸とは反対側に設けられた操作部とを備えた構成を有している。
【０００８】
この構成により、灯体の外側に設けられている第２連結部材に連結された操作部を操作して、灯体の向きを変えるので、従来のように灯体に触れる必要がなく、熱くないため、点灯中でも灯体の向きを容易に変えることができる。また、第１連結部材及び第２連結部材等で構成されるリンク機構により、操作部の小さな操作角度で灯体を大きく回動させることができる。
【０００９】
また、本発明の照明器具は、前記第１支軸と前記第３支軸との間の最大第１離間寸法よりも、前記第２支軸と前記第３支軸との間の第２離間寸法が長い構成を有している。
【００１０】
この構成により、第２連結部材に連結された操作部を第３支軸を中心として回動させると、第２連結部材に設けられている第２支軸が第１支軸よりも大きく回動するので、少ない操作で灯体は大きく首を振ることになる。
【００１１】
さらに、本発明の照明器具は、前記第３支軸と前記操作部の先端との間の操作部寸法が、前記第１支軸と前記第３支軸との間の最小第２離間寸法よりも短い構成を有している。
【００１２】
この構成により、操作部を操作する力が小さくても、灯体を回動させることができる。
【発明の効果】
【００１３】
本発明は、灯体の外側に設けられている第２連結部材に連結された操作部を操作して、灯体の向きを変えるので、従来のように灯体に触れる必要がなく、熱くないため、点灯中でも灯体の向きを容易に変えることができる。また、第１連結部材及び第２連結部材等で構成されるリンク機構により、操作部の小さな操作角度で灯体を大きく回動させることができるという効果を有する照明器具を提供することができるものである。
【発明を実施するための最良の形態】
【００１４】
以下、本発明の実施の形態の照明器具について、図面を用いて説明する。
図１（Ａ）は本発明の第１実施形態にかかる照明器具を示す側面図、図１（Ｂ）は図１（Ａ）中Ｂ方向から見た底面図、図２照明器具灯体が鉛直下方を向いた状態を示す側面図、図３は灯体を回動させたときのリンクを示す側面図である。
【００１５】
図１には、本発明にかかる照明器具としてのダウンライト１０が示されている。このダウンライト１０は下向きに開口した有底円筒形状の筐体２１を有しており、天井等の取付部１１に設けられている切欠き１３に埋め込まれる。筐体２１の内部空間には、光源（図示省略）が取り付けられている灯具２０が、リンク機構３０により回動可能に取付けられている。また、筐体２１の内部下端には円錐台形状の反射板２２が取付けられており、筐体２１の下端部には、取付部を覆う化粧板２３が設けられている。
【００１６】
なお、灯体２０およびリンク機構３０は、筐体２１内部に設けられている旋回機構（図示省略）により、水平面内で旋回可能となっている。
【００１７】
図２および図３に示すように、灯体２０は内部に光源（図示省略）を有しており、照射方向Ｌ１に光を照射するようになっている。
また、リンク機構３０は、灯体２０から突出し、光源の光軸Ｌ１に対して直交する第１支軸３１と、灯体２０から突出し、第１支軸３１に対して平行な第２支軸３２とを有している。また、第１支軸３１には第１連結部材３３が回動可能に連結されており、第１連結部材３３には、第１支軸３１に対して第１連結部材３３を相対的に移動させるための長孔３６が設けられている。
【００１８】
第２支軸３２には第２連結部材３４が回動可能に連結されており、第２連結部材３４の途中位置は、第３支軸３５によって外部の固定部である筐体２１に回動可能に取付けられている。また、第２連結部材３４の第３支軸３５に対して第２支軸３２とは反対側には、操作部３７が一体的に設けられている。さらに、第１連結部材３３も第３支軸３５により支持棒１２の先端に回動可能に取付けられている。従って、第１連結部材３３および第２連結部材３４は、固定軸である第３支軸３５を中心として回動する。
【００１９】
なお、第１支軸３１と第３支軸３５との間の最大第１離間寸法Ｄ１よりも、第２支軸３２と第３支軸３５との間の第２離間寸法Ｄ２が長くなっている。また、第３支軸３５と操作部３７の先端との間の操作部寸法Ｄ３は、第２支軸３２と第３支軸３５との間の最小第２離間寸法Ｄ２よりも短くなっている。
【００２０】
次に、操作部３７を操作したときの動作を説明する。
図２に示すように、光軸Ｌ１が鉛直下方に向いている状態から、操作部３７を矢印Ａ方向へ操作すると、図３に示すように、第２連結部材３４は第３支軸３５を中心として回動し、第２支軸３２が取付けられている灯体２０の上部を、矢印Ａ方向へ移動させる。同時に、灯体２０に取付けられている第１支軸３１が移動して、灯体２０を上昇させる。
その結果、図３に示すように、操作部３７の操作角度に比して、灯体２０の光軸Ｌ１の首振り角度が大きくなる。
【００２１】
以上、説明した第１実施形態にかかる照明器具１０によれば、灯体２０の外側に設けられている第２連結部材３４に連結された操作部３７を操作して、灯体２０の向きを変えるので、従来のように灯体２０に触れる必要がなく、熱くないため、点灯中でも灯体２０の向きを容易に変えることができる。また、第１連結部材３３及び第２連結部材３４等で構成されるリンク機構により、操作部３７の小さな操作角度で灯体２０を大きく回動させることができる。
【００２２】
次に、本発明の第２実施形態にかかる照明器具を説明する。
図４には、本発明の第２実施形態にかかる照明器具としてのスポットライト１０Ｂが示されている。なお、前述した第１実施形態にかかる照明器具であるダウンライト１０と共通する部位には同じ符号を付して、重複する説明を省略することとする。
【００２３】
このスポットライト１０Ｂは、天井等の取付部１１から吊下げるための支持棒１２を有しており、支持棒１２の上端部には取付部１１に取付けるための取付金具１２ａを有している。支持棒１２は、取付金具１２ａを介して取付部１１に、水平面内で回転可能に取付けられる。また、支持棒１２の下端部には、リンク機構３０を介して灯体２０が回動可能に取付けられている。
【００２４】
このように構成することにより、第１実施形態にかかるダウンライト１０と同様の効果を得ることができる。
【００２５】
なお、本発明の照明器具は、前述した各実施形態に限定されるものでなく、適宜な変形，改良等が可能である。すなわち、前述したダウンライト１０およびスポットライト１０Ｂは例示であり、これに限るものではない。
【図面の簡単な説明】
【００２６】
【図１】（Ａ）は本発明の第１実施形態にかかる照明器具を示す側面図、（Ｂ）は（Ａ）中Ｂ方向から見た底面図
【図２】照明器具灯体が鉛直下方を向いたときのリンク機構の状態を示す側面図
【図３】灯体を回動させたときのリンクを示す側面図
【図４】本発明の第２の実施の形態にかかる照明器具を示す側面図
【図５】従来の照明器具を示す断面図
【符号の説明】
【００２７】
１０  照明器具
２０  灯体
２１  筐体（固定部）
３１  第１支軸
３２  第２支軸
３３  第１連結部材
３４  第２連結部材
３５  第３支軸
３６  長孔
３７  操作部
Ｄ１  第１離間寸法
Ｄ２  第２離間寸法
Ｄ３  操作部寸法
Ｌ１  光軸
【図１】
2009238451.tif 000003
【図２】
2009238451.tif 000004
【図３】
2009238451.tif 000005
【図４】
2009238451.tif 000006
【図５】
2009238451.tif 000007